(57)【要約】  移動通信システムのビジター加入者にサービスを提供する方法が開示されている。移動通信システム内の仮想ビジターサブシステム(VSS)によって実行されるこの方法は、以下のステップを含む：移動通信システム内で動作する移動局(MS)のMSISDNでのローミングイベントを検出するステップ；前記MSの地理的エリアをカバーするHPLMNを有する移動通信システム内の移動ネットワークオペレータが、前記MSのビジター移動ネットワークオペレータになることを決定するステップ；前記ビジター移動ネットワークオペレータからビジターIMSIを受信するステップ；前記ビジターIMSIを前記MSの前記MSISDNに割り当てるステップ；前記ビジターIMSIを前記MSに転送するステップ；前記ビジター移動ネットワークオペレータに対する認証イニシエーションをインターセプトするステップ；前記MSのホーム移動ネットワークオペレータに対して、前記MSを認証するステップ；及び前記ホーム移動ネットワークオペレータから受信した、認証応答に基づいて、前記ビジターIMSIによって識別されるビジター加入をアクティベートするステップ。
2016507928.tif 000002
【特許請求の範囲】
【請求項１】
移動通信システムのビジター加入者にサービスを提供する方法であって、移動通信システム内の仮想ビジターサブシステム(Virtual Visitor Subsystem, VSS)によって実行される以下のステップ：
移動通信システム内で動作する移動局(mobile station, MS)のMSISDNでのローミングイベントを検出するステップ、
前記MSの地理的エリアをカバーするHPLMNを有する移動通信システム内の移動ネットワークオペレータが、前記MSのビジター移動ネットワークオペレータになることを決定するステップ、
前記ビジター移動ネットワークオペレータからビジターIMSIを受信するステップ、
前記ビジターIMSIを前記MSの前記MSISDNに割り当てるステップ、
前記ビジターIMSIを前記MSに転送するステップ、
前記ビジター移動ネットワークオペレータに対する認証イニシエーションをインターセプトするステップ、
前記MSのホーム移動ネットワークオペレータに対して、前記MSを認証するステップ、及び、
前記ホーム移動ネットワークオペレータから受信した、認証応答に基づいて、前記ビジターIMSIによって識別されるビジター加入をアクティベートするステップ
を含む方法。
【請求項２】
ビジターIMSIと前記MSのホームIMSIとの間でマッピングを実行すること、及び、ホームオペレータの鍵に基づいて、前記MSのホーム移動オペレータに対して前記MSを認証することを更に含む、請求項１に記載の方法。
【請求項３】
ビジターMSISDNと前記MSのMSISDNとの間の更なるマッピングを実行することを更に含む、請求項２に記載の方法。
【請求項４】
前記ビジターIMSI及び前記ホーム移動ネットワークオペレータのSMSCを用いた、前記MSから送信された移動発SMSの転送を更に含む、請求項３に記載の方法。
【請求項５】
前記ビジターIMSI及び前記ホーム移動ネットワークオペレータのSMSCを一時的に用いる前記MSによって受信された、移動終了SMSを転送することを更に含む、請求項３及び４のいずれかに記載の方法。
【請求項６】
ビジター移動ネットワークオペレータのMMSCによって送信され、前記ホーム移動ネットワークオペレータのMMSCによって受信された移動発信MMSを転送することを更に含む、請求項３乃至請求項５のいずれかに記載の方法。
【請求項７】
前記VSSをINノードとして用いる、前記ホーム移動ネットワークオペレータのGMSCに対し、ビジター加入を割り当てられたビジターによって生成された移動発呼の転送のためのB番号に、ルーティングプレフィックスを追加することを更に含む請求項３乃至請求項６のいずれかに記載の方法。
【請求項８】
前記ビジター加入のMSISDNをローミング番号として用いる、前記ビジター移動ネットワークオペレータに対する移動終呼のルーティングのためのローミング番号に、ルーティングプレフィックスを追加することを更に含む、請求項３乃至請求項７のいずれかに記載の方法。
【請求項９】
前記ビジター移動ネットワークオペレータから受信した、音声料金データ(MOC CDR)の転送を更に含む、請求項３乃至請求項８のいずれかに記載の方法。
【請求項１０】
前記ビジター移動ネットワークオペレータから受信した、SMS料金データ(SMS-MO CDR/S-SMO-CDR)の転送を更に含む、請求項３乃至請求項９のいずれかに記載の方法。
【請求項１１】
前記ビジター移動ネットワークオペレータから受信したMMS料金データ(MO MMS CDR)の転送を更に含む、請求項３乃至請求項１０のいずれかに記載の方法。
【請求項１２】
前記ビジター移動ネットワークオペレータから送信した、GPRS料金データ(M- CDR, S- CDR,及びG-CDR)の転送を更に含む、請求項３乃至請求項１１のいずれかに記載の方法。
【請求項１３】
MSのMSISDNでのローミングイベントは、
前記MSがビジター公衆地上移動ネットワーク(VPLMN)に接続されたとき、前記VSSが、MAP Update Locationメッセージをローミングハブから受信することによって、
或いは、
前記MSがホーム公衆地上移動ネットワーク(HPLMN)に接続されたとき、前記VSSが、MAP Update Locationメッセージをローミングハブから受信することによって、
或いは、
前記MSがホーム公衆地上移動ネットワーク(HPLMN)に接続されたとき、前記VSSが、MAP Cancel Locationメッセージを前記MSのホーム移動オペレータから受信することによって
識別される、請求項１乃至請求項１２のいずれかに記載の方法。
【請求項１４】
ビジター移動オペレータの前記決定は、ローミングイベント内のVLR番号を用いることによって、前記MSの地理的エリアをカバーするHPLMNを有する移動ネットワークオペレータとして、ビジター移動ネットワークオペレータを決定する、請求項１乃至請求項１３のいずれかに記載の方法。
【請求項１５】
前記ビジターIMSIを前記MSISDNに割り当てる前記処理は、前記ビジター移動ネットワークオペレータ内に格納された、或いは、前記ビジター移動ネットワークオペレータから検索されたビジター加入プールから、未使用のビジターIMSIを選択することを含む、請求項１乃至請求項１４のいずれかに記載の方法。
【請求項１６】
前記ビジターIMSIを前記MSに転送する前記ステップは、
前記ホームオペレータSMSCを介することなく、前記サービスSMSを前記MSに直接転送すること、及び、
前記MS内のSIM内の処理装置によって実行されるアプリケーションを用いて、ビジターIMSIで前記SIMを更新すること
を含む、請求項１乃至請求項１５のいずれかに記載の方法。
【請求項１７】
前記ビジター移動ネットワークオペレータに対する認証をインターセプトする前記ステップは、
前記VSSが、認証要求をインターセプトし、前記認証要求を前記ホームネットワークオペレータ及び前記ビジターネットワークオペレータに転送すること、
前記VSSが、前記ホームネットワークオペレータ及び前記ビジターネットワークオペレータから受信した認証応答をインターセプトすること、
前記VSSが、前記ホームネットワークオペレータからの前記認証応答を、認証を要求しているVLRに伝達すること
を含む、請求項１乃至請求項１６のいずれかに記載の方法。
【請求項１８】
前記ビジターIMSIによって識別されるビジター加入をアクティベートする前記ステップは、前記ホーム移動ネットワークオペレータから受信した認証応答に基づいて、前記ビジター加入をアクティベートする、請求項１乃至請求項１７のいずれかに記載の方法。
【請求項１９】
請求項１乃至請求項１８のいずれかに記載の方法を実行するように構成された処理装置。
【請求項２０】
移動通信システム内でビジター加入者にサービスを提供するためのビジターサービングサブシステムであって、請求項１９に記載の処理装置を備えるもの。
【請求項２１】
当該SIM内の処理装置によって実行されるアプリケーションを備えるSIMを、それぞれ備える複数の移動局、MS
それぞれがビジターIMSIによって識別される、ビジター加入のプールと共に構成された、複数の移動ネットワークオペレータ（MVNO及びMNO）、
それぞれが対応する移動ネットワークオペレータに関連付けられ、それぞれがHPLMN内で動作するMSの地理的エリアを判定するように構成された、複数のホーム公衆地上移動ネットワーク、HPLMN、
ローミングハブに関連付けられた、複数のビジター公衆地上移動ネットワーク、VPLMN、及び、
請求項２０に記載のビジターサービングサブシステム
を備える移動通信システム。
【発明の詳細な説明】
【技術分野】
【０００１】
本発明は一般的には通信システムに関する。特に、本発明は移動通信システムのビジター加入者にサービスする方法に関する。また、本発明は、この方法を採用するビジターサービングサブシステム、及び、ビジターサービングサブシステムを含む移動通信システムに関する。
【背景技術】
【０００２】
外国を訪れた加入者は、ローミング協定を通じて訪問先国の移動体ネットワークへのアクセスを認められる。ローミング協定は、２つの移動体ネットワーク事業者、即ち、ホームネットワーク事業者(Home Mobile Network Operator, HMNO)及び訪問先ネットワーク事業者(Visited Mobile Network Operator, VMNO)の間の双方の合意である。加入者に対して地球規模のカバリッジを提供するためには、移動体事業者は、多数のローミング協定にサインしなければならない。地球上の全ての国の事業者とローミング協定をサインする代わりに、移動体事業者は、ローミングハブを通じてローミングを購入することができる。
【０００３】
ローミングビジネスはGSMAの電話事業者によって統制されている。仮想移動体通信事業者(MVNO)、及び、MNOが提供するインフラに依存する新しいネットワーク事業者には、ローミングから利益の分配を受ける可能性はないか、或いは、可能性が限られている。
【０００４】
背景技術は加入者の立場から訪問する側の状況に主に焦点を当てている。加入者及び複数のサブスクリプションをローミングするための様々な方法及び技術が存在する。このカテゴリにおいて商業的に利用可能な製品は、ローミングSIMカード(Roaming SIM Card)或いはMulti-IMSI SIMカードと呼ばれている。
【発明の概要】
【課題を解決するための手段】
【０００５】
添付の独立項に記載の、ビジター加入者にサービスする方法、ビジターサービングサブシステム、及び、移動体通信サブシステムにより、背景技術を上回る利点が得られる。
【０００６】
利点及び代替の実施形態を従属項に記載した。
【０００７】
本発明の追加的な特徴、動作原理及び利点は、以下の詳細な説明から理解されるだろう。前述の一般的な説明、及び、続く詳細な説明は、どちらも、説明のための例示に過ぎないものであり、請求項の記載のように発明を限定するものではないことを理解されたい。
【図面の簡単な説明】
【０００８】
【図１】MNO及びMVNOのためのビジターサービングサブシステムを含むネットワーク要素を図示した略ブロック図である。
【図２ａ】ビジターサービングサブシステムを含まないMVNOのローミング制御の態様を図示した略ブロック図である。
【図２ｂ】ビジターサービングサブシステムを含むMVNOのローミング制御の態様を図示した略ブロック図である。
【図３】ビジターサービングサブシステムを用いるMNOによるビジターにサービスする方法の態様を図示した略ブロック図である。
【図４】仮想ビジターサブシステム（VSS）によって実行される様々なステップを図示した略プロセスフロー図である。
【図５】ビジターサービングサブシステムアーキテクチャーを図示した略ブロック図である。
【図６】ビジター加入者にサービスするための方法の態様を図示した略ブロック図であり、特に、ビジター加入のマッピングを図示したものである。
【図７】ビジター加入者にサービスするための方法の更なる態様を図示した略ブロック図であり、特に、海外ネットワークからのローミングイベントの処理を図示したものである。
【図８】ビジター加入者にサービスするための方法の更なる態様を図示した略ブロック図であり、特に、認証プロセスを図示したものである。
【図９】ビジター加入者にサービスするための方法の更なる態様を図示した略ブロック図であり、特に、ホームネットワークからのローミングイベントの処理を図示したものである。
【図１０】ビジター加入者にサービスするための方法の更なる態様を図示した略ブロック図であり、特に、WLANからのローミングイベントの処理を図示したものである。
【図１１】MAPハンドリングの態様を図示した略ブロック図である。
【図１２】MAPハンドリングの更なる態様を図示した略ブロック図であり、特に、MAPメッセージのローミングを図示したものである。
【図１３】仮想オペレータビジター加入者(virtual operator visitor subscriber)からの移動発呼(mobile originated call)に関する態様を図示した略ブロック図である。
【図１４】仮想オペレータビジター加入者を処理する移動終呼(mobile terminated call)に関する態様を図示した略ブロック図である。
【図１５】例えばGPRSデータのようなハンドリングデータサービスに関する態様を図示した略ブロック図である。
【発明を実施するための形態】
【０００９】
以下の詳細な説明において実施形態によって本発明は説明される。
【００１０】
本発明は、移動通信システム内でビジター加入者にサービスするための方法を提供する。
【００１１】
そのような移動通信システムは、ビジター加入者にサービスする方法が作動するような構造的な環境として考えられてもよい。構造的には、移動通信システムは複数の移動局、MSを備えることとしてよい。システム内で動作する各移動局或いは少なくともいくつかの移動局は、SIM内の処理装置によって実行されるアプリケーションプログラムを含むSIMを備える。
【００１２】
移動通信システムは複数の移動ネットワークオペレータを更に含む。これら移動ネットワークオペレータはMVNO及びMNOを含むこととしてもよい。システム内の各移動ネットワークオペレータ、或いは、少なくともいくつかの移動ネットワークオペレータは、ビジター加入のプールとして定義される。各ビジター加入はビジターIMSIによって識別される。
【００１３】
移動通信システムは複数のホーム公衆地上移動ネットワーク（home public land mobile network, HPLMN）を更に含む。各HPLMNは、或いは、HPLMNの少なくともいくつかは、対応する移動ネットワークオペレータに関連付けられる。更に、各HPLMNはHPLMN内で動作するMSの地理的エリアを判定するように構成されてもよい。
【００１４】
移動通信システムは、ローミングハブに関連付けられた複数のビジター公衆地上移動ネットワーク（visitor public land mobile network, VPLMN）を更に含むこととしてもよい。
【００１５】
また、移動通信システムは、ビジターサービングサブシステム（visitor serving subsystem, VSS）を更に含むこととしてもよい。VSSは移動通信システム内でビジター加入者にサービスするための方法の指針に従って動作する。
【００１６】
典型的には、VSSは、コンピュータ処理命令を実行するように構成された処理装置を含む。このコンピュータ処理命令は、ビジター加入者にサービスするための開示された方法をVSSに実行させる。
【００１７】
従って、ビジター加入者にサービスするための開示された方法は、ビジターサービングサブシステム（VSS）によって実行されるだろう。この方法は図４に図示されており、以下のステップを備える。 
・MS（移動局）のMSISDNでローミングイベントを検出する。MSは移動通信システム内で動作する（ステップ４０１）。 
・ビジター移動ネットワークオペレータを、MSの地理的エリアをカバーするHPLMNを有する移動ネットワークオペレータとして決定する（ステップ４０２）。 
・ビジター移動ネットワークオペレータからビジターIMSIを受信する（ステップ４０３）。 
・ビジターIMSIをMSのMSISDNに割り当てる（ステップ４０４）。 
・ビジターIMSIをMSに転送する（ステップ４０５）。 
・認証リクエストを受信する（ステップ４０６）。 
・ビジター移動ネットワークオペレータへの認証イニシエーションをインターセプトする（ステップ４０７）。 
・MSのホーム移動ネットワークオペレータに対してMSを認証する（ステップ４０８）。 
・ホーム移動ネットワークオペレータから受信した認証レスポンスに基づくビジターIMSIによって識別されたビジター加入をアクティベートする（ステップ４０９）。
【００１８】
態様の一例では、MSのMSISDNでのローミングイベントは、MSがビジター公衆地上移動ネットワーク（VPLMN）に接続されたときに、移動通信システムのローミングハブから、MAP Update Locationメッセージを受信するVSS101によって識別されることとしてもよい。
【００１９】
或いは、MSのMSISDNでのローミングイベントは、例えば、MSがホーム公衆地上移動ネットワーク（HPLMN）に接続されたときに、ローミングハブから、MAP Update Locationメッセージを受信するVSS101によって識別されることとしてもよい。
【００２０】
或いは、MSのMSISDNでのローミングイベントは、例えば、MSがホーム公衆地上移動ネットワーク（HPLMN）に接続されたときに、MSのホーム移動オペレータから、MAP Cancel Locationメッセージを受信するVSS101によって識別されることとしてもよい。
【００２１】
本方法では、上述の出来事或いは条件のどれによってでも、或いは、どの組み合わせによってでも、ローミングイベントを識別してもよい。
【００２２】
態様の一例では、MSの地理的エリアをカバーするHPLMNを有する移動ネットワークオペレータとして、ビジター移動オペレータを決定するステップ４０２は、ローミングイベント中のVLR番号の使用を含むこととしてもよい。
【００２３】
態様の一例では、ビジターIMSIをMSISDNに割り当てるステップ４０４は、ビジター加入プールから未使用のビジターIMSIを選択することを含んでもよい。ビジター加入プールは、ビジター移動ネットワークオペレータに含まれる（例えば、ビジター移動ネットワークオペレータに格納される）、或いは、ビジター移動ネットワークオペレータから受信される。
【００２４】
態様の一例では、ビジターIMSIをMSに転送するステップ４０５は、ホームオペレータSMSCを参加させることなく、サービスSMSをMSに直接転送することとしてもよい。この転送ステップ４０５は、更に、ビジターIMSIを用いた、MSに含まれるSIMのアップデートを含むこととしてもよい。MSのSIM OTAとビジターアプレットを用いることによって実行されてもよく、例えば、SIM内の処理装置にて実行されるアプリケーションプログラムを使用することによって実行されてもよい。
【００２５】
態様の一例では、ホーム移動ネットワークオペレータへの認証をインターセプトするステップ４０７は、VSS101による、ホームネットワークオペレータ及びビジターネットワークオペレータへの認証リクエスト406のインターセプト及びルーティング、VSSによる、ホームネットワークオペレータ及びビジターネットワークオペレータから受信する認証レスポンスのインターセプト、及び、VSS101による、ホームネットワークオペレータから認証を要求したVLRへの認証レスポンスの転送を含むこととしてもよい。
【００２６】
態様の一例では、ビジターIMSIによって識別されるビジター加入をアクティベートするステップ４０９は、ホーム移動ネットワークオペレータから受信した認証レスポンスに基づくビジター加入のアクティベートを含むこととしてもよい。
【００２７】
好適な一態様では、ビジター加入者にサービスするための方法は、更に、ビジターIMSIとMSのホームIMSIとの間のマッピングの実行を含む。好適には、本方法は、ビジターMSISDNとMSのMSISDNとの間のマッピングの実行を更に含むこととしてもよい。
【００２８】
ビジター加入者にサービスするための方法は、ビジターIMSIとホームIMSIの間のマッピングを含み、更に、ビジターMSISDNとMSのMSISDNの間のマッピングを含むこととしてもよい。
【００２９】
ビジター加入者にサービスするための方法は、多数のオプショナルな追加のステップを更に含むこととしてもよい。
【００３０】
そうしたオプショナルな追加ステップとして、MSから送信され、ホーム移動ネットワークオペレータのSMSCによって受信される移動発信(mobile originated)SMSの転送を含む。
【００３１】
代替的でオプショナルな追加ステップとして、ホーム移動ネットワークオペレータのSMSCから送信され、MSによって受信される移動終了(mobile terminated)SMSの転送を含む。
【００３２】
他のオプショナルな追加ステップとして、ビジター移動ネットワークオペレータのMMSCから送信され、ホーム移動ネットワークオペレータMMSCによって受信される移動発信MMSの転送を含む。
【００３３】
呼処理のためのホーム移動ネットワークオペレータGMSCに対し、ビジター加入を割り当てたビジターによって生成された移動発呼を転送するため、B番号(B-number)に対してルーティングプレフィックス(routing prefix)を追加することを、追加のステップとして更に含んでもよい。この態様では、方法を実行するVSSはINノードとして用いられる。
【００３４】
他に考えられる追加ステップとして、移動終呼をビジター移動ネットワークオペレータにルーティングするためのローミング番号に、ルーティングプレフィックスを追加することとしてもよい。ビジター移動ネットワークオペレータはローミング番号としてビジター加入のMSISDNを用いる。
【００３５】
本方法は、他のオプショナルなステップの中に、ビジター移動ネットワークオペレータから受信した音声料金データ(voice billing data, MOC CDR)の転送を更に含むこととしてもよい。
【００３６】
本方法は、ビジター移動ネットワークオペレータから受信したSMS料金データ(SMS billing data, SMS-MO CDR/S-SMO-CDR)の転送を更に含むこととしてもよい。
【００３７】
本方法は、ビジター移動ネットワークオペレータから受信したMMS料金データ(MMS billing data, MO MMS CDR)の転送を更に含むこととしてもよい。
【００３８】
本方法は、ビジター移動ネットワークオペレータから送信されたGPRS料金データ(GPRS billing data, M-,S- and G-CDR)の転送を更に含むこととしてもよい。
【００３９】
また、本発明は、移動通信システム内でビジター加入者にサービスするためのビジターサービングサブシステム、VSS101に関する。VSS101は、ここで説明されたような方法を実行するように構成された処理装置を含む。
【００４０】
また、本発明は、複数の移動局を備え、前記移動局はそれぞれSIMを含み、前記SIMは、前記SIM内の処理装置にて実行されるアプリケーションを含み、MVNO及びMNOを含む複数の移動ネットワークオペレータを備え、前記移動ネットワークオペレータはそれぞれビジター加入のプールと共に構成され、ビジター加入はそれぞれビジターIMSIによって識別され、複数のホーム公衆地上移動ネットワーク、HPLMNを備え、HPLMNはそれぞれ対応する移動ネットワークオペレータに関連付けられ、HPLMNはそれぞれ、HPLMN内で動作しているMSの地理的エリアを判定するように構成され、ローミングハブに関連付けられた複数のビジター公衆地上移動ネットワーク、VPLMNを備え、本明細書にて開示されるようなビジターサービングサブシステム、VSS101を備え、VSSは本明細書にて開示されるような方法を実行するように構成された処理装置を備える移動通信システムに関する。
【００４１】
本発明の効果として、外国を訪れたホームオペレータ加入者は、その外国のローカル移動ネットワークオペレータからビジター加入の割り当てを受けることができる。
【００４２】
加入者はホームオペレータによって認証されてもよいし、ローカルPLMNにアクセスするためにローカルオペレータからのビジター加入を用いることとしてもよい。ホームオペレータから見ると、加入者はローミングされる。ローカルオペレータから見ると、ビジターはローカル加入者として扱われる。
【００４３】
アーキテクチャ
本発明は、仮想移動体通信事業者(Mobile Virtual Network Operator, MVNO)がビジター機能を提供できるようにする方法を提供する。本願では、ビジターは仮想事業者ビジター(Virtual Operator Visitor, VOV)と呼ばれ、本方法を実装したシステムをビジターサービングサブシステム(Visitor Serving Subsystem, VSS)と呼ぶ。この方法が新規な発明に相当することを示すため、本明細書では、最初に先行技術と現在の状況について説明する。
【００４４】
図１はMNO102及びMVNO103のためのコアネットワーク要素を示す。図中、コアネットワークは、”H”及び”V”と呼ぶ２つの異なるレイヤーからなる。Hレイヤーはオペレータの加入者と、公衆ネットワークへのゲートウェイに関する。Vレイヤーは無線ネットワーク104に接続され、Hレイヤーに対してサービスする機能を有する。Vレイヤーは異なるオペレータに属する加入者にアタッチ可能であり、これらの加入者はHレイヤーを用いて認証される。MNOは両方のタイプのレイヤーを有するが、MVNOはHレイヤーのみを有する。MVNOに属する加入者はMNOのVレイヤーにアタッチされてMVNOのHレイヤーに認証される。VSSはMVNOのためのVレイヤーとしてサービスする。それによりMVNOがビジターをホストすることができるようになる。MNO102とMVNO103の両方において、SDBは加入者データベースを示す。
【００４５】
MVNOはローカルMNOを通じてローミングサービスを購入しなければならない。ローミングはMNOによって制御される。一例を図２ａに示す。
【００４６】
図２ａは、MVNO加入者（この場合、MVNO(A)からの加入者）が外国の他のMNO（この場合、MNO(B)）にローミングされたことを示す。現在のGSMA体制では、MNO(A)及びMNO(B)のみがこのローミングに関与することを認められている。海外のMVNO、MVNO（B）は、MVNO(A)の加入者をビジターとして見ることができない。このため、MVNO(B)は関与しない。
【００４７】
図２ｂは、VSSの導入によってこれがどのように変化するかを示す。VSSは、MVNO間で直接にビジター加入者を交換するための別のローミングサービスを確立する。
【００４８】
図２ａ及び２ｂの両方において、201はMVNO(A)に属するビジターを示す。図３は、VSS101がどのようにしてMNOのために用いられるかを図示している。この場合、MNOはビジターにサービスしているが、通常のローミングとは異なり、MNOはローカルビジター加入をアクティベートする。VSS101はビジターとホーム加入との間の関係を維持する。図３において、304はホームオペレータを示し、302は移動ネットワークオペレータMNOを示す。
【００４９】
図４は既に上述した。
【００５０】
図５はVSSアーキテクチャの構成要素を示す。構成要素は以下の通りである。 
・ビジターアプレット507はSIMカード506のソフトウェアモジュールである。 
・SIMカード506はMS504の構成要素である。 
・ビジターSIPクライアント505はMS504内のソフトウェア構成要素である。 
・複数のMVNO及びローミングハブ502に接続された複数のMNO/PLMN 
・ビジターゲートウェイVGwは、MVNOのコアネットワークに接続されたソフトウェア及びハードウェア構成要素である。 
・VRC501は全てのVGw、SIP BC(Boarder Controller)及びSIM OTAに接続されたソフトウェア及びハードウェア構成要素である。
【００５１】
VOV MVNOはVRCを介してネットワークを形成する。VRCはロケーション管理、呼及びメッセージのルーティングのために用いられるので、ローミングのためにMNOによって用いられるグローバルSS7ネットワーク(global SS7 network)をバイパスする。
【００５２】
VOV MVNOはそれぞれ、旅行中のMVNOの加入者のためのH-MVNOとして動作する。VOV MVNOはそれぞれ、他のMVNOから自MVNOのカバリッジのエリアを訪問中の加入者のためのV-MVNOとして動作する。
【００５３】
ビジタールーティングセンター、VRC501は、VOV MVNOによってカバーされていないエリアのためのローミングハブの統合を通じて、地球規模のカバリッジを確保する。VOVは、ローミングハブを介したローミングのため、共通の移動オペレータアイデンティティを用いる。ローカルMNOとのMVNO協定を通じて国内のアクセスのみが認められたMVNOは、VSSネットワークを介して地球規模のカバリッジを得ることができる。競争力のあるローミング価格を得ようと努めるMNOは、MVNOと同様の方法によって、VSSネットワークを活用することができる。
【００５４】
自身のローミング協定を持たない移動オペレータは、VSSサービスを用いるオペレータによってカバーされていない全てのエリアをカバーするため、ローミングパートナーを活用することができる。
【００５５】
WLANインタフェースを備えるスマートフォンは、家庭、オフィス、ホテル、公共エリア等のWLANホットスポットを介してインターネット503にアクセスすることができる。多数のWLANプロファイルをスマートフォンに格納することが可能である。スマートフォンは端末が既知のWLANのカバリッジ内にあることを自動的に検出し、WLAN経由のデータフローを開始する。スマートフォンにインストールされたビジターSIPクライアントはインターネットアクセスを用いる。このSIPクライアントは呼をWLAN経由で行う。
【００５６】
仮想オペレータビジター
ビジター加入者は、自分のH-MNO以外のMNOからのPLMNを用いている移動加入者である。ここではこのオペレータをV-MNOと呼ぶ。ビジターは、H-MVNOのHLRへの認証に基づいて、V-MNOのVLRに挿入される。ビジター受け入れの前に、H-MNOとV-MNOとの間の商業的な協定が存在しなければならない。主に3種類の協定が存在する。異なる国からの移動ネットワークオペレータ間のローミング協定、同じ国の中のオペレータ間の国内ローミング協定、及び、MNOのPLMNを介した、MVNO国内移動カバリッジからの加入者を提供する仮想オペレータ協定。
【００５７】
移動仮想オペレータビジターソリューション(Mobile Virtual Operator Visitor Solution)は、仮想オペレータビジター(Virtual Operator Visitor, VOV)を導入することにより、更に一歩踏み込む。VOVは、V-MVNOから一時的なローカル加入者アイデンティティを提供される。VOVは、ホームオペレータからの元の移動電話番号を維持し、ホームオペレータからの移動加入サービスを受け続ける。
【００５８】
図６は更にVOVを管理するための方法を図示する。ここで、MS504はまだMVNO(A)との間にローカル加入を有し、ローミングは加入者プロファイルを用いたMVNO(B)からのビジター加入を使用する。加入者プロファイルは、V-IMSI、V- MSISDN、VGwを用いたINノードとしてのINサービスアクティベーション、及び、V-MVNOのH-PLMNにアクセスするためのV-MVNOのAPNアドレスを含む。
【００５９】
外国へのVOVトラベリングは、訪問先のMNOの中のローカルMVNO加入者として登録される。SIMカード506上にビジターアプレット507を有するVOV加入者は、ローカルMVNOから自動的にVOVサービスを受ける。MSは一時的に割り当てられた加入者アイデンティティを使用するので、ローカル加入者として動作する。VOV加入者はローカルトラフィック及びMVNO(B)のための収益を生成する。従来のローミング体制の元では、このトラフィックはMNO/HPLMNのためのローミングトラフィック収益として想定された。訪問中の加入者によって生成されるトラフィックは、MVNO(B)の顧客が生成したものに見える。
【００６０】
VRC501は、VSS101に含まれ、ビジター加入の動的な割り当てと、ホームオペレータ加入者アイデンティティとビジター加入との間のビジター加入マッピング601とを管理する。VOVは、全ての移動電話加入サービスをホームオペレータから受け、移動電話番号への着信を利用することができる。V-MVNOによって割り当てられた一時的なV-MSISDNは、呼び出された電話番号に呼及びメッセージがルーティングされる前に、実際の移動電話番号に置換される。緊急呼び出しがローカルの緊急サービスに発信されるようにするため、緊急呼び出しはV-MSISDNを用いる。
【００６１】
VOV MVNOによってカバーされていないエリアのため、VRCは、ローミングハブの統合により、地球規模のカバリッジを確保する。ローミングハブを介したローミングのために、VOVは、共通の移動オペレータアイデンティティを用いる。ローカルMNOとのMVNO協定を通じて国内のアクセスのみが認められたMVNOは、VSSネットワークを介して地球規模のカバリッジを得ることができる。競争力のあるローミング価格を得ようと努めるMNOは、MVNOと同様の方法によって、VSSネットワークを活用することができる。
【００６２】
VOVのためのローミングイベントを処理するための方法を図７に示す。MVNOは、移動ネットワークオペレータから、新しいエリアに移動した加入者としてロケーション管理情報を受け取る。外国を訪れた加入者は世界規模のローミングカバリッジのためにローミングハブ502を使用する。ネットワークアクセスを取得するため、ローミングハブIMSI(R-IMSI)は、外国でのネットワークエントリに用いられる。VRCはVOV-IMSIにてローミングイベントを検出する（ステップ701）。H-MVNOへの認証はH-IMSIに基づいて実行され（ステップ702）、その応答はローミングハブ502に転送される（ステップ703）。
【００６３】
VRCはMVNOからのビジター加入を要求し、エリアをカバーするMVNOから未使用のビジター加入を受け取る（ステップ704）。VOVはV-MVNOからIMSIを割り当てられる。MSISDNに関連付けられたIMSIサブレンジは、参加中のMVNOそれぞれのVOV加入者のために割り当てられる。IMSIサブレンジは、ビジター加入のためのV-IMSIのプールとして用いられる。ビジター加入はMVNOのHLRに挿入される。
【００６４】
VOVのためのV-IMSIは、ビジター加入者に対して、MVNOがカバーするエリアに移動する加入者として自動的に割り当てられる。新規ビジター加入プロファイル（ステップ708）は、SIM OTAを介して、加入者ISMカード506のビジターアプレット507に送信される（ステップ705）。ローミングパートナーネットワークはV-IMSIを有するSIMカード上のビジターアプレットをアップデートするために用いられる。
【００６５】
IMSI/PLMN及びルーティングパートナーを用いたビジター加入プロファイルの受信は、新しいIMSIに基づいて、MSでのネットワーク選択プロセスを再開させる。更に、SIM OTAはV-MVNO APNを用いてMSをアップデートする。
【００６６】
VOV加入者MSのSIMカードは、割り当てられたV-IMSIを用いて、訪問国のローカルH-PLMNにアクセスする。VOV加入者V-IMSIは訪問先のH-PLAN/MNO VLRに挿入される。V-MVNOのHLRは、自身の加入者が移動電話の電源をオンオフした場合と同様に、ビジター加入の状態を追跡し続ける。
【００６７】
VOVは、V-IMSI及び関連付けられたV-MSISDNによって識別される。V-IMSIサブレンジでのロケーションアップデートはVRCに転送される。
【００６８】
VOV加入者プールの全加入者はINサービスを利用し、VGwはINノードアドレスとなる。データ通信のローカルブレイクアウトのためのAPNアドレスはローカルMVNO GGSNである。V-IMSIサブレンジのシグナリングはVRCに転送される（ステップ706）。
【００６９】
VRCでのビジター加入マッピングは、VOV加入者とホーム加入者アイデンティティとの間のマッピングを行う。
【００７０】
VOV加入者MSのSIMカードは、ホームオペレータの秘密鍵を用いて認証を行う。V-MVNOはビジターに関連するメッセージを、ビジターホームオペレータにリダイレクトする。VOVは、H-IMSI及び秘密鍵に基づいて、H-MVNOのHLRに認証される。ホームオペレータは、他のPLMNにローミングされた加入者と同様の方法で、自身のVOV加入者を管理する（ステップ707）。
【００７１】
図８に認証プロセスの詳細を示す。サービングネットワーク(この場合HPLMN(B))のVLRによってMSを認証するため、1つ乃至5つの認証ベクターからなるセットがホームMVNO内のHLR/AUTからVLRに送信される。また、訪問先MVNO内のHLR/AUTは、ビジター加入に関する認証ベクター鍵を要求される。これらのパラメータは使用されないが、訪問先MVNO内のHLRには、VOVが今アクティブであり、ローカルHPLMN(B)に接続されていることが通知される。
【００７２】
MSは、ローカルV-MVNOが存在しないエリア内では、R-IMSIを使い続ける。もし、エリアをカバーする未使用のビジター加入が存在せず、かつ、エリアがH-MVNOのHPLMNではないのであれば、MSはR-IMSIを使い続ける。ステップ(705-707)は実行されない。
【００７３】
ホーム移動ネットワークオペレータHPLMNによってカバーされているエリアでは、MSはH-IMSI及びH-MVNOのAPNを使用する（図９）。
【００７４】
VRCはVOV-IMSI上のローミングイベントを検出する（ステップ901）。H-MVNOに対する認証はH-IMSIに基づいて実行され（ステップ902）、その応答はローミングパートナーに転送される（ステップ903）。
【００７５】
H-MVNOが好ましいオペレータであると判定するためVRCはエリア情報を用いる。加入者がHPLMN(A)によってカバーされたエリアに入った場合、SIMカードはH-IMSIを用いる。
【００７６】
SIM OTAを介して、加入者SIMカード上のビジターアプレットに対してH-IMSI識別子は送信される（ステップ904）。SIMカード506上のビジターアプレット507をアップデートするため、ローミングハブネットワーク（ローミングハブ502参照）が用いられる。H-IMSI識別子の受信は、予め格納されたH-IMSIプロファイルに基づくMS内でのネットワーク選択プロセスを再開させる。更に、SIM OTAは、V-MVNO APNを用いてMSをアップデートする。H-MVNOに対する認証はH-IMSIに基づいて実行される（ステップ905）。図９において908はホーム加入プロファイルを示す。
【００７７】
ビジターSIPクライアントはSIPサーバへのログオンのためにH-IMSIを使用する（図１０）。H'-IMSIによって与えられた加入者H-MVNOに対するSIPログオンをリダイレクトするIPテレフォニー仮想ネットワークオペレータとして、SIPサーバは操作される。H-MVNOは通常のローミングイベントをVRCから受信し、HLRを適切にアップデートする。図10において、503はインターネットを示し、504は移動局を示し、505はビジターSIPクライアントを示し、506はSIMカードを示し、507はビジターアプレットを示す。
【００７８】
図６−１０は本発明の態様の概念的概観を示す。以下の開示では、様々な移動サービスに追加可能なステップについて更に詳細に説明する。利用可能な移動サービスのサブセットについての説明であることが当業者には分かる。これら説明されたサービスのための方法に対する軽微な変更は、他の移動サービスも同様にカバーすることが理解される。
【００７９】
MAP処理
図１１にMAP処理を示す。MAPシグナリングは、サービングネットワーク内のMCS/VLR/SGSNと、ホームネットワーク内のGMSC/HLR/GGSNとの間で用いられる。ビジター加入のため、関連するMAPシグナリングは、サービングネットワークとビジター加入のホームネットワークとの間ではなく、サービングネットワークとホーム加入のホームネットワークとの間でなされる。SS7ネットワークを利用する代わりに、これらのMAPメッセージは、VGw及びVRCを介し、VOVネットワークを通じてルーティングされる。
【００８０】
MAPシグナリングは以下のサービスをカバーする。 
・モビリティ及びO&M
・ショートメッセージサービス（SMS）処理
・呼処理
・付加サービス
・GPRSサービス
・ロケーションサービス
【００８１】
図１１において、502はローミングハブを示し、503はインターネットを示し、504は移動局を示し、506はSIMカードを示し、507はビジターアプレットを示す。
【００８２】
VGwにメッセージをルーティングするため、SCCPリレーポイント(SRP)機能が用いられる。SRPはメッセージのSCCP部を処理する機能を有する。メディアゲートウェイ（MGw）はSRP機能のグローバルタイトル(Global Title, GT)分析をサポートし、メッセージをVGwにルーティングするように構成することができる。これを図１２に示す。以下のGTはVGwにルーティングされる。 
・V-IMSI
・V-MSISDN
【００８３】
VGwへの直接ISDN番号。図１２において、504は移動局を示し、506はSIMカードを示し、507はビジターアプレットを示す。更に、1201は他のネットワークを訪問中の自加入者に関するMAPを示し、1203は自加入者に関するMAPを示し、1204はビジター加入者に関連したMAPを示す。1205及び1206はGTルーティングを示す。VRC1202は更にビジター加入マッピングによって説明される。
【００８４】
ローミングイベントの処理
新しいSIM或いはデバイスのデータをMSに送信するためにローミングイベントは検出される。図７に示すように、SIM及びデバイスのデータを動的にアップデートするため、OTAが用いられる。
【００８５】
ローミングハブからのローミングイベントはVRCによって検出される。もし、ローミングイベントが発生した国でVOV MVNOが検出されたら、V-IMSIが割り当てられて、OTAに送信される。OTAはV-IMSI及び他のSIM或いはデバイスのデータをMSに送信する。
【００８６】
SIMカードは３つのIMSIを含む。 
・V-IMSI（OTAを介して動的にアップデートされる）
・R-IMSI（静的なデータ）
・H-IMSI（静的なデータ）
【００８７】
外国ではMSはR-IMSIで始める。
【００８８】
VOV MVNOを利用可能な旅行中のVOV加入者
本例では、旅行中のVOV加入者に関するシグナリング手順について説明する。MSはR-IMSIの使用を開始する。サービングネットワーク内のVLRは、ローミングハブ及びVRC/VGwを介してH-HLRからフェッチしたデータを用いてMSを認証する。ローミングハブ及びVRCはいずれも、VOV-IMSI及びH-IMSIそれぞれに対し、IMSIを変更する。
【００８９】
ローミングイベント（MAPメッセージ：アップデートロケーション）は、サービングネットワーク内のVLRからローミングハブに送信される。ローミングパートナーはIMSIを変更し、MAPメッセージをVRCに送信する。VRCはVOV-IMSIをH-IMSIに変更し、VGwを介してH-HLRにメッセージを送信する。VGw/VRCはH-HLRからVLRに加入者データを中継する。
【００９０】
ローミングイベントはVLR番号を含む。これはE.164番号であり、国コードを含む。DBルックアップを介して、VRCはこのエリアをカバーするVOV MVNOが存在するか否かをチェックする。この場合、VOV加入者は少なくともひとつのVOV MVNOを有する国からローミングする。予め定義された構成データに起因して、VOV MVNOのひとつが選択される。VRCはこのMVNOのために未使用のV-IMSIを割り当てる。VRCは、OTAシステムへのGPRSブレイクアウトのため、V-IMSIと共にAPNパラメータを送信する。このシステムは、SIM或いはデバイスのデータ、及び、他のSIMデータを、SMSトランスポートを介してMSにプッシュする。
【００９１】
R-IMSIを有するホームでの加入者
本例のシナリオは、VOV MVNOを訪問する旅行の後、ホームでMSの電源を入れたVOV加入者に関するシグナリング手順について説明する。MSはR-IMSIの使用を開始する。ローミングイベント（MAPメッセージ：アップデートロケーション）はHPLMN内のVLRからローミングハブに送信される。ローミングパートナーはIMSIを変更し、MAPメッセージをVRCに送信する。VRCはローミングイベントを検出し、本イベントがホームネットワーク内で開始されたことを検出する。VRCはH-IMSIと共にホームAPNパラメータをOTAシステムに送信する。このシステムは、SMSトランスポートを介して、SIM或いはデバイスのデータをMSにプッシュする。
【００９２】
ローミングハブIMSIを持ち、利用可能なVOV MVNOを持たない旅行中の加入者
本例は旅行中のVOV加入者に関するシグナリング手順について説明するが、本例では、VOV加入者はVOV MVNOがない国からローミングする。MSはR-IMSIの使用を開始する。ローミングイベント（MAPメッセージ：アップデートロケーション）がサービングネットワーク内のVLRからローミングハブに送信される。ローミングハブはIMSIを変更し、MAPメッセージをVRCに送信する。VRCはこのローミングイベントを検出し、このイベントがどこから開始されたのかをチェックする。この場合では、VOVは発見されず、MAPメッセージはH-MVNOのHLRに更に送信される。HLRに送信される前に、IMSIは対応するH-IMSIに変更される。残りの手順は、ホームH-MVNOのHLRからサービングネットワーク内のVOV加入者を認証する。
【００９３】
アップデートロケーション
アップデートロケーション手順はMSの電源が入ったときに発生する。MSのスイッチがオンになり次第、MSはサービングエリア内のVLRに通知する。VLRは、MSから受信したIMSIを用いて、認証及び加入者データのためのHLRをアドレスする。もしIMSIがH-IMSIならば、アップデートロケーションメッセージは、国際SS7ネットワークを介してホームHLRにルーティングされる。
【００９４】
VOV加入者が旅行中のときのアップデートロケーション
この例のシナリオは、VOV加入者が旅行中であり、「VOV MVNOを利用可能な旅行中のVOV加入者」手順が終了した後のシグナリング手順について説明する。つまり、このシナリオは、その国の中で選択したVOV MVNOに属するV-IMSIと共にMSが再開した後に始まる。
【００９５】
サービングネットワーク内のVLRは、IMSIアタッチを登録し、GTとしてV-IMSIを用いてマップアップデートロケーションメッセージを送信する。メディアゲートウェイ内のSRP機能は、このメッセージをVGwに送信する。このメッセージはVOVネットワークを介してVRCにルーティングされる。VRCはビジターIMSIをホームIMSIに置換し、SGSN/MCS/VLR識別子をMAPメッセージ：アップデートロケーションのH-VGwアドレスに置換して、VOVネットワークを介してH-VGwにルーティングする。TCAPトランザクションID、IMSI及びMSC/VLR/SGSN番号はデータベースに格納される。そして、H-VGwはそのメッセージをH-MVNOのHLRに送信する。
【００９６】
応答は逆方向に送信されるが、そのときH-IMSIはV-IMSIに置換されている。さもなければ、この手順は標準的なアップデートロケーション手順に続いて行われる。標準的な手順に加えて、V-MVNO内のHLRは標準的なアップデートロケーション手順によってアップデートされるが、ここではVRCはVLRをシミュレートしている。
【００９７】
VOV加入者が旅先からホームに戻ったときのアップデートロケーション
このシナリオは、外国のVOV MVNOを訪問した後のホームでのVOVに関するシグナリング手順について説明する。このシナリオは「R-IMSIを有するホームでの加入者」手順が終了した後に始まる。つまり、MSはH-MVNOに属するH-IMSIと共に再開する。
【００９８】
ホスティングネットワーク内のVLRは、IMSIアタッチを登録し、GTとしてH-IMSIを用いてMAPアップデートロケーションメッセージを送信する。メッセージはH-MVNOのHLRにルーティングされる。HLRはMAPキャンセルロケーションメッセージを以前のVLRに送信し、アドレスとしてVGwを用いる。キャンセルロケーションメッセージはVRCに送信され、VRCはH-IMSIをV-IMSIに置換してV-VGwにルーティングする。V-VGwはMAPキャンセルロケーションメッセージをサービングネットワーク内のVLRに送信する。応答メッセージは、VRCにルーティングされ、更に、H-MVNOのHLRにルーティングされる。そして、VRCはMAPメッセージ：PurgeMSをV-MVNOのHLRに送信して、ビジター加入者は既に利用できないことを示す。このシナリオでVRCが最後にしなければならないのは、H-MVNOのAPNパラメータをOTAシステムに送信することである。そして、このシステムはMSをこのパラメータにアップデートする。
【００９９】
移動局が発信したショートメッセージの伝達
旅行中のVOV加入者が発したSMS
この例での移動発信ショートメッセージの伝達手順は、MSからSMSCにショートメッセージを転送する。この例では、送信するVOV加入者は、VOV MVNOを有する国を旅行している。
【０１００】
MSは、「VOV MVNOを利用可能な旅行中のVOV加入者」にて説明したシナリオの間に、V-IMSI及び新しいSCアドレスを受信する。SMSCアドレスは訪問したVOV MVNOのためのV-VGwアドレスと同じである。サービングMSC或いはSGSNは、SCアドレスがGTとして用いられた後、MAPメッセージmo-forwardSM要求をV-VGwに送信する。メッセージは更にVRCに送信される。
【０１０１】
以下のマッピングはVRCにて実行される。 
IMSI: V-IMSI からH-IMSIへ
SM RP DA: V-VGwアドレスからホームSCアドレスへ
SM RP OA: V-MSISDN からH-MSISDNへ
SM RP UI TP-OA: V-MSISDNからH-MSISDNへ
【０１０２】
メッセージは、H-IMSIに基づいてH-VGwにルーティングされる。そして、メッセージはH-MVNOのSMSCアドレスを用いて、H-MVNOのHLRにルーティングされる。
【０１０３】
応答メッセージは逆向きに送信される。
【０１０４】
移動局が終了したショートメッセージ伝送
SMSは旅行中のVOV加入者で終了する。送受信する加入者は同じVOV MVNOに加入を有する。
【０１０５】
この例における、移動局が終了したショートメッセージ伝送手順は、SMSCからMSへのショートメッセージの転送について説明する。B加入者は旅行中であり、A加入者と同じMVNOに属している。
【０１０６】
H-MVNOのGMSCは、H-MVNOのHLRに対し、B加入者のMSISDNと共に、MAPメッセージ：SRI-SM要求を送信することにより、情報をルーティングするように要求する。HLRはH-VGwアドレスと共に応答する。GMSCは、H-VGwアドレスをGTとして用いることにより、MAPメッセージ：mt-forwardSM要求をH-VGwに送信する。更に、メッセージはVRCに送信される。
【０１０７】
以下のマッピングはVRCにて行われる。 
SM RP DA: H-IMSI からV-IMSIへ
SM RP OA: SMCSアドレスからV-VGwアドレスへ
SM RP UI TP-DA: H-MSISDNからV-MSISDNへ
MSC/SGSNへの直接ルーティングを用いるため、MSC/SGSN番号がデータベースから検索される。
【０１０８】
データベースはV-IMSIとV-VGwアドレスとの間のマッピングを含む。そして、VRCはV-VGwにメッセージを送信する。更に、V-VGwはメッセージをサービングネットワーク内のMSC/SGSNに送信する。MSC/SGSNアドレスをGTとして用いることにより、メッセージはルーティングされる。
【０１０９】
応答メッセージは逆向きに送信される。
【０１１０】
SMSは旅行中のVOV加入者で終了する。送受信する加入者は異なるVOV MVNOに加入を有する。
【０１１１】
この例において、移動局で終了したショートメッセージ転送手順は、SMSCからMSへのショートメッセージの転送について説明する。B加入者は旅行中であり、A加入者とは異なるMVNOに属している。
【０１１２】
以下のマッピングはVRCにて行われる。 
SM RP DA: H-IMSIからV-IMSIへ
SM RP OA: SMSCアドレスからV-VGwアドレスへ
SM RP UI TP-DA: H-MSISDNからV-MSISDNへ
MSC/SGSNへの直接ルーティングを用いるため、MSC/SGSN番号がデータベースから検索される。
【０１１３】
データベースはV-IMSIとV-VGwアドレスとの間のマッピングを含む。そして、VRCはV-VGwにメッセージを送信する。V-VGwはメッセージを更にサービングネットワーク内のMSC/SGSNに送信する。MSC/SGSNアドレスをGTとして用いることにより、メッセージはルーティングされる。
【０１１４】
応答メッセージは逆向きに送信される。
【０１１５】
呼処理
概論
他のVOV MVNOを訪問中のVOV加入者は、それぞれ、ローカルビジター移動加入プロファイル(V-IMSI及びV-MSISDNを含む)を割り当てられる。こうしたプロファイルは、IN/CAMELサーバとしてのローカルV-VGwを用いて、IN/CAMELアクティベートする。
【０１１６】
V-MVNOを訪問中のVOV加入者のためのHLRは、VLR noとして格納された、加入者のH-VGw ISDNを有する。
【０１１７】
VOV加入者のためのアクセスを提供している移動オペレータは、VRCを通じて相互に接続されている。VOVからのMO呼及びMT呼はどちらもH-MVNOを通じてルーティングされる。
【０１１８】
図１３はMO VOV呼の概念概観を示す。旅行中のVOV加入者からのMO呼は、V-MVNOからH-MVNOにルーティングされる。H-MVNOのGMSCはB番号分析を行い、被呼加入者2101またはサービスに呼をルーティングする。H-IMSI/H-MSISDNとV-IMSI/V-MSISDNとの間をマッピングする方法、特殊VOVプレフィックス、及び、VOVルーティング規則については、下記のセクションにて詳細に説明する。
【０１１９】
図１３において、504は移動局を示し、506はSIMカードを示し、507はビジターアプレットを示す。
【０１２０】
図１４はMT VOV呼の概念概観を示す。旅行中のVOV加入者（発呼加入者、2201）に対するMT呼は、H-MVNOによって受信される。H-MVNOのHLRは加入者がVVSにローミングされたことを知っており、呼はH-VGwに向けられて、V-MVNOにルーティングされる。（ローミングされた）H-IMSI/H-MSISDNとV-IMSI/V-MSISDNとの間をマッピングする方法、特殊VOVプレフィックス、及び、VOVルーティング規則については、下記のセクションにて詳細に説明する。
【０１２１】
図１４において、504は移動局を示し、506はSIMカードを示し、507はビジターアプレットを示す。
【０１２２】
図１３及び図１４は本発明の態様の概念概観を示す。以下の開示は、様々な呼処理のシナリオに追加可能なステップについて詳細に説明する。利用可能な移動サービスのサブセットについての説明であることが当業者には分かるだろう。これら説明されたサービスのための方法に対する軽微な変更は、他の移動呼処理シナリオも同様にカバーすることが理解される。
【０１２３】
V-MSISDNはV-IMSIのサブレンジに割り当てられる。VOV加入者プロファイル中のINサービスアクティベーションによって、ビジターからの呼シグナリングを確実に抽出してVGwに転送する。
【０１２４】
V-IMSIは関連付けられたH-IMSIに置換され、逆も同様である。V-MSISDNがVOV加入者から受けた呼の中のA番号としては現れないようにするため、V-MSISDNは、H-MSISDNを置換してMSISDNを含むメッセージをシグナリングする。
【０１２５】
特殊VOVプレフィックス
特殊VOVプレフィックスのセットが定義される（国際的にユニークに定義される、或いは、VOV MVNO毎に構成可能に定義される）。以下のVOVプレフィックスが用いられる。 
o    発呼
プレフィックス”o”は、訪問中のVOV加入者からの呼のためのIN/CAMEL情報要求に応答して、ローカルVGwのIN/CAMELサーバ機能によって付加される。全ての訪問中VOV加入者のプロファイル（すなわち、全てのV-IMSI/V-MSISDNプロファイルのためのプロファイル）は、INサーバとしてローカルV-VGwにINをイネーブルにしなければならない。 
r    ローミングハブでの終呼
プレフィックス”r”は、旅行中のVOV加入者のためのHLRからローミングハブへのMAP-PRNに応答して、VRCによって付加される。 
w    WLANでの終呼
プレフィックス”w”は、WLANアクセスを利用しているVOV加入者のためのHLRからのMAP-PRNに応答して、VRCによって付加される。 
v    終呼はVOVネットワーク内のビジター
プレフィックス”v”は、他のVOV MVNOに旅行中のVOV加入者のためのHLRからのMAP-PRNに応答して、VRCによって付加される。
【０１２６】
GMSC呼ルーティング
各VOV MVNO内のGMSCは、特殊VOVプレフィックスから始まるCdPNを有する全ての呼を、ローカルVGwにルーティングするように構成される。
【０１２７】
各VOV MVNO内のGMSCは、CdPNが国際番号である全ての呼（すなわち、ローカルVGwのMVNO自身に属していない呼）もルーティングする。
【０１２８】
VOVルーティング規則パラメータ
必要に応じて、VGwとVRCとの間で、ルーティング規則パラメータを有する特殊なSIPヘッダーサブジェクトフィールドが転送される。以下のルーティング規則値が用いられる。
routing-rule-o
CdPNがプレフィックス=oを含むときVGwによって設定される。 
routing-rule-r
CdPNがプレフィックス=rを含むときVGwによって設定される。 
routing-rule-w
CdPNがプレフィックス=wを含むときVGwによって設定される。 
routing-rule-v
CdPNがプレフィックス=vを含むときVGwによって設定される。 
routing-rule-ro
ローミングパートナーからVRCにINVITEを送信するときVRC-VGwによって設定される。 
routing-rule-wo
VRCにINVITEを送信するときSBCによって設定される。 
routing-rule-i
PSTNの代わりにV-GMSCに対してVGwがINVITEを送信する場合に、INVITEをVGwに送信するとき、VRCによって設定される。 
routing-rule-int
CdPNが未知のプレフィックスを含むときVGwによって設定される。VRCによって使用される。値"routing-rule-int"は、SIPプロバイダが用いられているときには設定されないことに注意されたい。
【０１２９】
ルーティング規則パラメータの使用法については、以下の呼セットアップ手順の中で更に説明する。
【０１３０】
呼セットアップ手順
発呼及び終呼手順
以下のセクションでは、手順を参照しつつ、VOV加入者が関与しているときの呼セットアップの発呼側及び終呼側について説明する。VOV加入者はホームにいてもいいし旅行中でもよい。VOV加入者に関与する呼セットアップは常に加入者のH-MVNOを介してルーティングされる。
【０１３１】
例の中では、呼セットアップのIAM/INVITE部のみについて説明する。これは、呼セットアップの残りの部分と解放シグナリングは、同じ原理に従い、そのままだからである。
【０１３２】
旅行中のVOV加入者からV-MVNOへのMO呼
この例では、VOV加入者からの発呼は、ローカルV-VGwAに対するCAMEL情報要求を開始させる。V-VGwAは、被呼番号（Called Party Number, CdPN）に特殊VOVプレフィックス”o”を追加する。
【０１３３】
V-GMSCAは、V-VGwAに対し、プレフィックス”o”で始まるCdPNを有する呼をルーティングする（例えば、BICCプロトコルを用いる）。
【０１３４】
V-VGwAは、CdPNからプレフィックス”o”を除去し、値"routing-rule-o"を有する特殊「ルーティング規則」サブジェクトフィールドを、SIPヘッダーに追加して、VRCに呼を転送する（例えば、SIPを用いる）。
【０１３５】
"routing-rule-o"があるので、VRCは、発呼者番号をV-MSISDNからH-MSISDNに変更し、"routing-rule-o"を"routing-rule-i"と置換して、V-VGwAに対し、呼をH-VGwAにルーティングするよう求める。
【０１３６】
そして、V-VGwAは、呼をH-VGwAに転送する（例えば、IAMメッセージを組み込んだSIP-Iを用いる）。
【０１３７】
"routing-rule-i"があるので、H-VGwAは、H-GMSCAに呼を転送する（例えばBICCシグナリングを用いる）。
【０１３８】
H-GMSCAは、下記の「VOV伝送」手順を用いてH-MVNOBに呼をルーティングする。H-MVNOAがH-MVNOBと同じ場合、この伝送手順はスキップされ、代わりに、”MT to VOV”手順が用いられる。
【０１３９】
V-MVNOに旅行中のVOV加入者へのMT呼
この例では、H-GMSCBは、HLRに対し、MAP送信ルーティング情報(Send Routing Info, SRI)を通じて、被呼加入者の移動ローミング加入者番号(Mobile Roaming Subscriber number, MSRN)を取得するように求める。HLRは、この加入者のためのVLRとして格納されたH-VGwBを有し、MAP提供ルーティング番号(Provide Routing Number, PRN)要求メッセージをH-VGwBに送信する。
【０１４０】
H-VGwBは、PRNメッセージをVRCに転送し、VRCは、MSRNとして、特殊VOVプレフィックス”v”を先頭に有するV-MSISDNを返信する。
【０１４１】
CdPNは特殊プレフィックス”v”で始まるので、H-GMSCBはH-VGwBに呼を送信する。
【０１４２】
H-VGwBは、プレフィックス”v”を除去し、値"routing-rule-v"を有するSIPヘッダーサブジェクトフィールドを追加して、SIPを用いて呼をVRCに転送する。
【０１４３】
"routing-rule-v"があるので、VRCは被呼番号をV-MSISDNからH-MSISDNに変更し、呼をV-VGwBにルーティングするようH-VGwBに求める。
【０１４４】
例えば、BICCシグナリングを用いて、V-VGwBはV-GMSCBに呼を転送する。
【０１４５】
V-GMSCBはV-MNOBに呼をルーティングする。
【０１４６】
GPRS処理
データサービスのローカルブレイクアウトのため、VOVはV-MVNO GGSNを用いる。メッセージが被呼加入者に伝送される前に、MMSのMSISDNはH-MSISDNによって置換される。図１５を参照。
【０１４７】
もし、ローミングハブを介してVOV加入者がローミングしていると、VOVネットワーク内のGGSNはGRPSトンネルを終了している。
【０１４８】
図１５において、504は移動局を示し、506はSIMカードを示し、507はビジターアプレットを示す。
【０１４９】
移動局が発信したMMS
MMSは旅行中のVOV加入者から発する。
【０１５０】
この例では、移動発信MMSの伝送手順は、MSからMMSリレー／サーバへのMMSの転送について説明する。この場合、送信するVOV加入者はVOV MVNOを有する国を旅行している。
【０１５１】
MMSはビジターMMSリレー／サーバに転送される。しかし、送信者アドレスはV-MSISDNである。MMSリレー／サーバ内に存在する全てのV-MSISDNのための、ユーザに基づいたMM1サブミッションのトリガー(User-Based Trigger on MM1 Submission)は、MM10インタラクションを可能とする。ビジターMMSリレー／サーバがMMSメッセージを送信する前に、VRC内のMSCFは、送信者アドレスをH-MSISDNに変更する。
【０１５２】
CDR処理
ビジターに関連したCDRは、訪問先のMVNOから収集される。VOVは、CDR内の呼番号或いは被呼番号のどちらで識別されてもよい。以下の種類のCDRが収集される。
【０１５３】
【表１】
2016507928.tif 000003
【０１５４】
しかし、収集したCDRの中では、VOVはビジターMSISDN/IMSIを通じて識別されるため、続く請求書作成処理を実行する前に、レイティングや課金といった前処理をCDRに対して行う必要がある。この前処理は正規化と呼ばれる。
【０１５５】
正規化処理は、ホームMSISDN/IMSIのようなCDRに正規化したデータを追加する。正規化したデータの目的は、正規化処理後の処理に対して、CDRの操作を実行するのに十分なデータを、他のテーブルを相互参照する必要なく与えて、加入者が実際にMVNO Xを訪問し、加入者Yに発呼したといった問い合わせができるようにすると共に、ホーム加入者に対して、ホームMVNOがレイティング及び課金ができるようにすることである。
【０１５６】
更に、正規化したCDRは、課金先の加入者を識別するホームMVNOに送信される。
【０１５７】
上述のように詳細な実施形態の例として本発明を説明した。添付の請求項の範囲内で、多くの変更が可能であることが当業者には分かるだろう。
【０１５８】
用語と頭字語
一般的な用語
CdPN          Called Party Number、被呼者番号
CgPN          Calling Party Number、発呼者番号
GGSN          Gateway GPRS Support Node、ゲートウェイGPRSサポートノード
GMSC          Gateway Mobile Switching Center、ゲートウェイモバイルスイッチングセンター
GT            Global Title、グローバルタイトル
HLR           Home Location Register、ホームロケーションレジスター
HPLMN         Home PLMN、ホームPLMN
HSS           Home Subscriber Server、ホーム加入者サーバ
IMSI          International Mobile Subscriber Identity、国際移動加入者識別子
MAP           Mobile Application Part、モバイルアプリケーションパート、SS7プロトコル。GSM及びUMTSの移動体コアネットワーク内の様々なノードのために、アプリケーションレイヤーを提供する。 
MGw           Media Gateway、メディアゲートウェイ
MME           Mobility Management Entity、モビリティ管理エンティティ
MMSC          Multimedia Messaging Centre、マルチメディアメッセージングセンター
MNO           Mobile Network Operator、モバイルネットワークオペレータ。無線周波数或いは無線ネットワーク設備を有する無線通信サービス提供者。 
MO            Mobile Originated、移動発信
MSC           Mobile Switching Center、モバイルスイッチングセンター
MSCF          Messaging Service Control Function、メッセージングサービス制御機能
MSISDN        Mobile Subscriber Integrated Services Digital Network Number、モバイル加入者統合サービスデジタルネットワーク番号、別名Mobile Station International Subscriber Directory Number、移動局国際加入者ディレクトリ番号
MSRN          Mobile Subscriber Roaming Number、モバイル加入者ローミング番号
MT            Mobile Terminated、移動終了
MS            Mobile Station、移動局
MVNO          Mobile Virtual Network Operator、仮想移動体通信事業者。無線周波数或いは無線ネットワーク設備を有していない無線通信サービス提供者。 
P-GW          PDN Gateway、PDNゲートウェイ
PLMN          Public Land Mobile Network、公衆地上移動ネットワーク
PSTN          Public Switched Telephone Network、公衆交換電話ネットワーク
SMSC          Short Messages Service Center、ショートメッセージサービスセンター
SGSN          Service GPRS Support Node、サービスGPRSサポートノード
S-GW          Serving Gateway、サービスゲートウェイ
VMSC          Visiting Mobile Switching Center、ビジティングモバイルスイッチングセンター
VPLMN         Visitor PLMN、ビジターPLMN
特殊な用語
A- / A        発呼側(A-側、発呼加入者側)
例：A-no、H-MVNOA、V-MVNOA、V-VGwA
B- /B         終呼側(B-側、被呼加入者側)
例：B-no、H-MVNOB、V-MVNOB、V-VGwB
H-GMSC        ホームVOV GMSC
H-HLR         ホームVOV HLR
H-IMSI        ホームIMSI
H'-IMSI       対のH-IMSI、WLANアクセスにて使用。 
H-MNO         ホームMNO、HMOと同様。 
H-MSISDN      ホームMSISDN
H-MVNO        ホームVOV MVNO
H-VGw         ホームVGw
R-IMSI        ローミングパートナーIMSI
R-MSISDN      ローミングパートナーMSISDN
SBC           SIP Boarder Controller、SIPボーダーコントローラー
V-GMSC        ビジターVOV GMSC
VGw           ビジターゲートウェイ
V-VGw         ビジターゲートウェイ
V-IMSI        ビジターIMSI
VLR           Visitor Location Register、ビジターロケーション登録
V-MNO         Visitor MNO、ビジターMNO
V-MSISDN      ビジターMSISDN
V-MVNO        ビジターVOV MVNO
VOV           Virtual Operator Visitor、仮想事業者ビジター
VOV-IMSI      Visitor IMSI for roaming partner
VOV MVNO      VSSからのサービスを用いることによりVOVをホスト可能なMVNO。 
VRC           Visitor Routing Centre、ビジタールーティングセンター
VRC-VGw       ローミングパートナーアクセスのためVRCと配置されたVGw。 
VSS           Visitor Serving Subsystem、ビジターサービングサブシステム
VSS Network   VOV MVNOを接続するプライベートIPネットワーク。 
V-VGw         ビジターVGw
【図１】
2016507928.tif 000004
【図２ａ】
2016507928.tif 000005
【図２ｂ】
2016507928.tif 000006
【図３】
2016507928.tif 000007
【図４】
2016507928.tif 000008
【図５】
2016507928.tif 000009
【図６】
2016507928.tif 000010
【図７】
2016507928.tif 000011
【図８】
2016507928.tif 000012
【図９】
2016507928.tif 000013
【図１０】
2016507928.tif 000014
【図１１】
2016507928.tif 000015
【図１２】
2016507928.tif 000016
【図１３】
2016507928.tif 000017
【図１４】
2016507928.tif 000018
【図１５】
2016507928.tif 000019
【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
移動通信システムのビジター加入者にサービスを提供する方法であって、移動通信システム内の仮想ビジターサブシステム(Virtual visitor Subsystem, VSS)によって実行される以下のステップ：
移動通信システム内で動作する移動局(mobile station, MS)のMSISDNでのローミングイベントを検出するステップ、
前記MSの地理的エリアをカバーするHPLMNを有する移動通信システム内の移動ネットワークオペレータが、前記MSのビジター移動ネットワークオペレータになることを決定するステップ、
前記ビジター移動ネットワークオペレータからビジターIMSIを受信するステップ、
前記ビジターIMSIを前記MSの前記MSISDNに割り当てるステップ、
前記ビジターIMSIを前記MSに転送するステップ、
前記ビジター移動ネットワークオペレータに対する認証イニシエーションをインターセプトするステップ、
前記MSのホーム移動ネットワークオペレータに対して、前記MSを認証するステップ、及び、
前記ホーム移動ネットワークオペレータから受信した、認証応答に基づいて、前記ビジターIMSIによって識別されるビジター加入をアクティベートするステップ
を含み、
前記ビジター移動ネットワークオペレータに対する認証イニシエーションをインターセプトする前記ステップは、
前記VSSが、認証要求をインターセプトし、前記認証要求を前記ホームネットワークオペレータ及び前記ビジターネットワークオペレータに転送すること、
前記VSSが、前記ホームネットワークオペレータ及び前記ビジターネットワークオペレータから受信した認証応答をインターセプトすること、
前記VSSが、前記ホームネットワークオペレータからの前記認証応答を、認証を要求しているVLRに伝達すること
を含む方法。
【請求項２】
ビジターIMSIと前記MSのホームIMSIとの間でマッピングを実行すること、及び、ホームオペレータの鍵に基づいて、前記MSのホーム移動オペレータに対して前記MSを認証することを更に含む、請求項１に記載の方法。
【請求項３】
ビジターMSISDNと前記MSのMSISDNとの間の更なるマッピングを実行することを更に含む、請求項２に記載の方法。
【請求項４】
前記ビジターIMSI及び前記ホーム移動ネットワークオペレータのSMSCを用いた、前記MSから送信された移動発SMSの転送を更に含む、請求項３に記載の方法。
【請求項５】
前記ビジターIMSI及び前記ホーム移動ネットワークオペレータのSMSCを一時的に用いる前記MSによって受信された、移動終了SMSを転送することを更に含む、請求項３及び４のいずれかに記載の方法。
【請求項６】
ビジター移動ネットワークオペレータのMMSCによって送信され、前記ホーム移動ネットワークオペレータのMMSCによって受信された移動発信MMSを転送することを更に含む、請求項３乃至請求項５のいずれかに記載の方法。
【請求項７】
前記VSSをINノードとして用いる、前記ホーム移動ネットワークオペレータのGMSCに対し、ビジター加入を割り当てられたビジターによって生成された移動発呼の転送のためのB番号に、ルーティングプレフィックスを追加することを更に含む請求項３乃至請求項６のいずれかに記載の方法。
【請求項８】
前記ビジター加入のMSISDNをローミング番号として用いる、前記ビジター移動ネットワークオペレータに対する移動終呼のルーティングのためのローミング番号に、ルーティングプレフィックスを追加することを更に含む、請求項３乃至請求項７のいずれかに記載の方法。
【請求項９】
前記ビジター移動ネットワークオペレータから受信した、音声料金データ(MOC CDR)の転送を更に含む、請求項３乃至請求項８のいずれかに記載の方法。
【請求項１０】
前記ビジター移動ネットワークオペレータから受信した、SMS料金データ(SMS-MO CDR/S-SMO-CDR)の転送を更に含む、請求項３乃至請求項９のいずれかに記載の方法。
【請求項１１】
前記ビジター移動ネットワークオペレータから受信したMMS料金データ(MO MMS CDR)の転送を更に含む、請求項３乃至請求項１０のいずれかに記載の方法。
【請求項１２】
前記ビジター移動ネットワークオペレータから送信した、GPRS料金データ(M- CDR, S- CDR,及びG-CDR)の転送を更に含む、請求項３乃至請求項１１のいずれかに記載の方法。
【請求項１３】
MSのMSISDNでのローミングイベントは、
前記MSがビジター公衆地上移動ネットワーク(VPLMN)に接続されたとき、前記VSSが、MAP Update Locationメッセージをローミングハブから受信することによって、
或いは、
前記MSがホーム公衆地上移動ネットワーク(HPLMN)に接続されたとき、前記VSSが、MAP Update Locationメッセージをローミングハブから受信することによって、
或いは、
前記MSがホーム公衆地上移動ネットワーク(HPLMN)に接続されたとき、前記VSSが、MAP Cancel Locationメッセージを前記MSのホーム移動オペレータから受信することによって
識別される、請求項１乃至請求項１２のいずれかに記載の方法。
【請求項１４】
ビジター移動オペレータの前記決定は、ローミングイベント内のVLR番号を用いることによって、前記MSの地理的エリアをカバーするHPLMNを有する移動ネットワークオペレータとして、ビジター移動ネットワークオペレータを決定する、請求項１乃至請求項１３のいずれかに記載の方法。
【請求項１５】
前記ビジターIMSIを前記MSISDNに割り当てる前記処理は、前記ビジター移動ネットワークオペレータ内に格納された、或いは、前記ビジター移動ネットワークオペレータから検索されたビジター加入プールから、未使用のビジターIMSIを選択することを含む、請求項１乃至請求項１４のいずれかに記載の方法。
【請求項１６】
前記ビジターIMSIを前記MSに転送する前記ステップは、
前記ホームオペレータSMSCを介することなく、前記サービスSMSを前記MSに直接転送すること、及び、
前記MS内のSIM内の処理装置によって実行されるアプリケーションを用いて、ビジターIMSIで前記SIMを更新すること
を含む、請求項１乃至請求項１５のいずれかに記載の方法。
【請求項１７】
請求項１乃至請求項１６のいずれかに記載の方法を実行するように構成された処理装置。
【請求項１８】
移動通信システム内でビジター加入者にサービスを提供するためのビジターサービングサブシステムであって、請求項１７に記載の処理装置を備えるもの。
【請求項１９】
当該SIM内の処理装置によって実行されるアプリケーションを備えるSIMを、それぞれ備える複数の移動局、MS
それぞれがビジターIMSIによって識別される、ビジター加入のプールと共に構成された、複数の移動ネットワークオペレータ（MVNO及びMNO）、
それぞれが対応する移動ネットワークオペレータに関連付けられ、それぞれがHPLMN内で動作するMSの地理的エリアを判定するように構成された、複数のホーム公衆地上移動ネットワーク、HPLMN、
ローミングハブに関連付けられた、複数のビジター公衆地上移動ネットワーク、VPLMN、及び、
請求項１８に記載のビジターサービングサブシステム
を備える移動通信システム。
【国際調査報告】
2016507928.tif 000020
2016507928.tif 000021
2016507928.tif 000022